(57)【要約】【課題】発信側からの制御により着信側の携帯情報端末のディスプレイに表示される情報や着信音等の出力態様を制御可能な携帯情報端末の出力態様制御方式及びそれを用いたナースコールシステムを提供する。【解決手段】発信側としての親機１から送出される制御信号に基づいて、着信側としての携帯情報端末ＰＳのディスプレイに表示される表示態様及び／又は出力される出力音態様を制御する。具体的には、病室に設置されているベッド対応の呼出ボタンからの信号を受信した親機１がベッドのおかれている部屋番号やベッド番号を識別し、当該部屋番号やベッド番号及び患者の名前情報、担当医師情報、又は当該患者を医療看護する担当者のグループ情報等の表示態様を規定する制御情報信号を出力するとともに、着信音パターン、着信ＬＥＤパターン又は着信音バイブレータパターンを規定する制御情報信号を出力し、この信号を受信した携帯情報端末ＰＳは、親機１から受信した制御情報信号に基づいてその出力態様を制御する。【選択図】      図１
2005020348.tif 000002
【特許請求の範囲】
【請求項１】
発信側としての親機から送出される出力態様制御信号を着信側としての携帯情報端末が受信し、受信した出力態様制御信号に基づいて前記携帯情報端末のディスプレイに表示される表示態様を含む出力態様を制御することを特徴とする携帯情報端末の出力態様制御方式。
【請求項２】
前記発信側と着信側はＩＳＤＮ回線で接続され、前記出力態様制御信号はＵｓｅｒ−Ｕｓｅｒ情報要素に基づいてコーディングされて送信され、前記着信側では受信した出力態様制御信号をデコーディングして前記出力態様を制御することを特徴とする請求項１に記載の携帯情報端末の出力態様制御方式。
【請求項３】
前記出力態様制御は、文字、罫線又は矩形情報の制御を含むことを特徴とする請求項１又は２に記載の携帯情報端末の出力態様制御方式。
【請求項４】
前記出力態様制御は、着信音パターン、着信ＬＥＤパターン又は着信音バイブレータパターンの制御を含むことを特徴とする請求項１又は２に記載の携帯情報端末の出力態様制御方式。
【請求項５】
前記発信側から着信側に送出される出力態様制御信号には、再接続先情報が含まれていることを特徴とする請求項１乃至４のいずれかに記載の携帯情報端末の出力態様制御方式。
【請求項６】
病室に設置されているベッド対応の呼出ボタンと、
前記呼出ボタンと有線または無線を介して接続された親機と、
前記親機からの出力信号を受け、収容されている携帯情報端末を呼び出す交換機と、
前記交換機を介してワイヤレスで接続され、前記親機から呼び出しを受け、ナースが所持する複数の携帯情報端末と、
前記ベッドのおかれている部屋番号やベッド番号、患者の名前情報、担当医師情報、又は当該患者を医療看護する担当者のグループ情報等の表示情報及び着信音パターン、着信ＬＥＤパターン又は着信音バイブレータパターンを格納するメモリと、
を備え、
前記親機は、前記ベッドのおかれている部屋番号やベッド番号を識別し、当該部屋番号やベッド番号及び患者の名前情報、担当医師情報、又は当該患者を医療看護する担当者のグループ情報等の表示態様を規定する第１の制御情報信号を出力するとともに、着信音パターン、着信ＬＥＤパターン又は着信音バイブレータパターンを規定する第２の制御情報信号を出力し、
前記携帯情報端末は、前記親機から受信した前記第１と第２の制御情報信号に基づいてその出力態様を制御することを特徴とするナースコールシステム。
【請求項７】
前記親機側と携帯情報端末側はＩＳＤＮ回線で接続され、前記第１と第２の制御情報信号はＵｓｅｒ−Ｕｓｅｒ情報要素に基づいてコーディングされて送信され、前記携帯情報端末側では受信した前記第１と第２の制御情報信号をデコーディングして前記出力態様を制御することを特徴とする請求項６に記載のナースコールシステム。
【請求項８】
前記出力態様制御は、文字、罫線又は矩形情報の制御を含むことを特徴とする請求項６又は７に記載のナースコールシステム。
【請求項９】
前記出力態様制御は、着信音パターン、着信ＬＥＤパターン又は着信音バイブレータパターンの制御を含むことを特徴とする請求項６又は７に記載のナースコールシステム。
【請求項１０】
前記親機側から携帯情報端末側に送出される信号には、再接続先情報が含まれていることを特徴とする請求項６乃至９のいずれかに記載のナースコールシステム。
【発明の詳細な説明】
【０００１】
【発明の属する技術分野】
本発明は、携帯情報端末の出力態様制御方式及びそれを用いたナースコールシステムに関し、例えば、発信側から、携帯電話機等の携帯情報端末等の着呼側の表示や着信音等の出力態様を制御する携帯情報端末の出力態様制御方式及びそれを用いたナースコールシステムに関する。
【０００２】
【従来の技術】
従来の携帯電話機においては、液晶等のディスプレイに各種情報が表示される。例えば、発信時には発信先電話番号が、ｅメール時やｉモード動作時には送信先アドレスやホームページアドレスが、ｉモード動作時にはホームページ情報が、更にはカメラ付き携帯電話機では、撮影対象画像や保存されている画像が表示される。一方、携帯電話機で相手方からの呼び出しを受けたとき（着呼時）には、発信者番号通知が許可されているときには、発信者番号が携帯電話機のディスプレイに表示される。
【０００３】
【発明が解決しようとする課題】
上述のように、従来の携帯電話機等の着呼側の端末のディスプレイには各種の情報、画像が表示されるが、着呼時に表示される情報は、呼び出し側の電話番号だけであり、携帯電話機を含め、携帯型情報端末機の用途の著しい拡張に伴う要望には適応しきれないことがあった。
【０００４】
例えば、病院で患者からの緊急の呼出を管理するナースコールシステムにおいては、通常、病室の各ベッド対応に設けられ、患者が押下したときに生成される呼出ボタンからの呼出信号をナースコール親機で集中的に受信してナース室で警告音を発したり、看護婦が所持する子機としてＰＨＳ携帯型端末を呼び出す。このナースコールシステムでは、子機としてのＰＨＳ携帯型端末のディスプレイには、警告音が出力されたり、ベッド対応に設けられた呼出ボタンに割り振られた番号、すなわち、発信者番号通知に対応する番号が表示される。
【０００５】
しかしながら、この表示は、呼出ボタンに割り振られた番号だけであり、すべての看護婦が所持するＰＨＳ携帯型端末のディスプレイに同じ情報が表示され、各看護婦は表示されるベッド番号などの情報に基づいて自分が看護する患者からの呼出コールか否かを判断することになるが、迅速にその判断ができないという問題がある。
【０００６】
また、ＰＨＳ携帯型端末のディスプレイに表示される情報は、ベッド番号だけであり、患者の名前や担当医師など他の有用な情報を把握できないため、迅速な看護活動ができないという問題もあった。
【０００７】
更に、患者は退院すれば当該ベッド番号に対応する患者情報は無効であり、ナースコール情報としては不要であり、新たな患者等の情報を最新情報として更新しなければならない。これ以外にも必要な情報の日々変化は著しく、ＰＨＳ携帯型端末に設定される内容もその都度更新しなければならず、数十台、数百台にも及ぶＰＨＳ携帯型端末のそれぞれの情報更新は時間的にもコスト的にも好ましいものではない。
【０００８】
ところで、ＩＳＤＮ回線を用いた通信端末において、本来、「音声呼」で受けるべき呼を「非制限ディジタル呼」で着信したり、逆に、「非制限ディジタル呼」で受けるべき呼を「音声呼」で着信するので、間違った着呼を行う度に、切断、再発呼を行わなければならないという問題を解決するために、ＩＳＤＮ回線から送られてくる呼制御信号を解析して、リンガ音の発生とモニタ表示を行わせるようにしたＩＳＤＮ通信端末が特許文献１に開示されているが、上記目的に適合するものではない。
【０００９】
【特許文献１】
特開平６−３０３２９１号公報（図１、第２ページ）
【００１０】
そこで、本発明の目的は、発信側からの制御により着信側の携帯情報端末のディスプレイに表示される情報や着信音等の出力態様を制御可能な携帯情報端末の出力態様制御方式及びそれを用いたナースコールシステムを提供することにある。
【００１１】
本発明の他の目的は、ナースコールが生じたときに、親機側からの制御信号によりナースの所持する携帯情報端末のディスプレイに表示される情報や着信音等の出力態様を制御可能なナースコールシステムを提供することにある。
【００１２】
【課題を解決するための手段】
前述の課題を解決するため、本発明による携帯情報端末の出力態様制御方式及びそれを用いたナースコールシステムは、次のような特徴的な構成を採用している。
【００１３】
（１）発信側としての親機から送出される出力態様制御信号を着信側としての携帯情報端末が受信し、受信した出力態様制御信号に基づいて前記携帯情報端末のディスプレイに表示される表示態様を含む出力態様を制御する携帯情報端末の出力態様制御方式。
【００１４】
（２）前記発信側と着信側はＩＳＤＮ回線で接続され、前記出力態様制御信号はＵｓｅｒ−Ｕｓｅｒ情報要素に基づいてコーディングされて送信され、前記着信側では受信した出力態様制御信号をデコーディングして前記出力態様を制御する上記（１）の携帯情報端末の出力態様制御方式。
【００１５】
（３）前記出力態様制御は、文字、罫線又は矩形情報の制御を含む上記（１）又は（２）の携帯情報端末の出力態様制御方式。
【００１６】
（４）前記出力態様制御は、着信音パターン、着信ＬＥＤパターン又は着信音バイブレータパターンの制御を含む上記（１）又は（２）の携帯情報端末の出力態様制御方式。
【００１７】
（５）前記発信側から着信側に送出される出力態様制御信号には、再接続先情報が含まれている上記（１）乃至（４）のいずれかの携帯情報端末の出力態様制御方式。
【００１８】
（６）病室に設置されているベッド対応の呼出ボタンと、
前記呼出ボタンと有線または無線を介して接続された親機と、
前記親機からの出力信号を受け、収容されている携帯情報端末を呼び出す交換機と、
前記交換機を介してワイヤレスで接続され、前記親機から呼び出しを受け、ナースが所持する複数の携帯情報端末と、
前記ベッドのおかれている部屋番号やベッド番号、患者の名前情報、担当医師情報、又は当該患者を医療看護する担当者のグループ情報等の表示情報及び着信音パターン、着信ＬＥＤパターン又は着信音バイブレータパターンを格納するメモリと、
を備え、
前記親機は、前記ベッドのおかれている部屋番号やベッド番号を識別し、当該部屋番号やベッド番号及び患者の名前情報、担当医師情報、又は当該患者を医療看護する担当者のグループ情報等の表示態様を規定する第１の制御情報信号を出力するとともに、着信音パターン、着信ＬＥＤパターン又は着信音バイブレータパターンを規定する第２の制御情報信号を出力し、
前記携帯情報端末は、前記親機から受信した前記第１と第２の制御情報信号に基づいてその出力態様を制御するナースコールシステム。
【００１９】
（７）前記親機側と携帯情報端末側はＩＳＤＮ回線で接続され、前記第１と第２の制御情報信号はＵｓｅｒ−Ｕｓｅｒ情報要素に基づいてコーディングされて送信され、前記携帯情報端末側では受信した前記第１と第２の制御情報信号をデコーディングして前記出力態様を制御する上記（６）のナースコールシステム。
【００２０】
（８）前記出力態様制御は、文字、罫線又は矩形情報の制御を含む上記（６）又は（７）のナースコールシステム。
【００２１】
（９）前記出力態様制御は、着信音パターン、着信ＬＥＤパターン又は着信音バイブレータパターンの制御を含む上記（６）又は（７）のナースコールシステム。
【００２２】
（１０）前記親機側から携帯情報端末側に送出される信号には、再接続先情報が含まれている上記（６）乃至（９）のいずれかのナースコールシステム。
【００２３】
【発明の実施の形態】
以下、本発明による携帯情報端末の出力態様制御方式及びそれを用いたナースコールシステムの好適実施形態例について添付図を参照しながら詳細に説明する。
【００２４】
本発明は、発信側（発呼側）の携帯情報端末からの操作、制御により受信側（着呼側）のディスプレイに表示される情報、画像を制御したり、着呼音等の出力音を制御、すなわち出力態様を制御する。そのため、例えば、ＩＳＤＮにおけるＵｓｅｒ−Ｕｓｅｒ情報要素を用いて、メッセージ等の情報をコーディングして送信する。受信側では、受信した信号をデコーディングしてＵｓｅｒ−Ｕｓｅｒ情報要素を再生してメッセージや画像等を表示したり、着呼音等の出力音を制御する。かかるシステムの適用例の一つとして病院のナースコールシステムについて以下説明する。
【００２５】
図１には本発明の一適用例としてのナースコールシステムのシステム構成図が示されている。
【００２６】
病室に設置されているベッド対応に呼出ボタンＢ１〜ＢＮが、有線または無線でナースコール親機１に接続され、呼出ボタンの押下により発生される呼出信号が親機１に送出される。
【００２７】
親機１は、受信した呼出信号に基づいてベッドのおかれている部屋番号やベッド番号を識別し、当該部屋番号やベッド番号だけでなく、ベッドに寝ている患者の名前、担当医師、当該患者を医療看護する担当者のグループである担当グループ等の表示情報信号を出力する。そのため、親機１には、ベッドと患者との関係、患者名と担当医師、担当者グループ、等の情報を格納するメモリが設けられている。
【００２８】
中央集中管理装置２は、親機１で生成された表示情報や表示態様及び／または出力音を変化させる等の出力態様を制御するもので、上記メモリ機能をもっていても良い。親機１からは、上記出力態様制御のための出力態様制御信号が出力される。この出力態様制御としては、例えば、文字、罫線、矩形等の表示態様があり、また、着信音パターン、着信ＬＥＤパターン、着信音バイブレータパターン等がある。
【００２９】
中央集中管理装置２は親機１を含め、本システム全体を一元的に集中的に管理するもので、その機能を親機１に内蔵させても良いことは勿論である。
【００３０】
親機１から出力された上記出力態様制御信号は、交換機３に出力され、サーバ４との間で信号授受が為され、少なくとも１台、複数のＣＳ５Ａ、５Ｂを介して無線信号（電波信号、赤外線信号等のワイヤレス信号）が子機としての携帯情報端末ＰＳ１〜ＰＳＭに向かって送出される。
【００３１】
以下、一例として上記出力態様制御信号として携帯情報端末のディスプレイに表示される文字、記号、図形、表示色等の表示態様を制御する場合について説明する。
【００３２】
図２（Ａ）と（Ｂ）は、本発明の実施形態における携帯情報端末のディスプレイ表示例を示す。本例では、画面領域が複数の画面領域に分けられ、その表示態様が制御された各画面領域の表示例が示されている。図２（Ａ）において、画面領域Ｇ１には、患者が寝ているベッドの置いてある「部屋番号」が表示される。この表示は通常の表示であり、呼出ボタンから送出される信号に基づいて当該ボタンが設置されているベッドがある部屋番号が表示される。画面領域Ｇ２には、「ナースコール」が表示され、親機１から送出される表示目的が表示される。画面領域Ｇ３には、ナースコールが発せられた（呼出ボタンが押された）部屋番号と、その中のベッド番号が、例えば、１０２号室の１番ベッドを“１０２―１”のように表示される。画面領域Ｇ４には、当該ベッドで寝ている患者の名前が表示される。また、画面領域Ｇ５には、当該患者の病気や症状等の情報、例えば、“大腿骨骨折、助骨打撲”が表示される。
【００３３】
図２（Ｂ）に示す表示画面では、上記画面領域Ｇ１〜Ｇ４の表示は図２（Ａ）と同じであるが、画面領域Ｇ６には、当該患者の治療、看護を担当するチームの番号“チーム１０”、担当医師名“Ｄｒ．小林”が表示される。
【００３４】
これらの各表示領域の表示態様は、親機１側から送出される出力態様制御信号により制御される。例えば、表示文字やその態様（太さ、字体等）等であるが、罫線や矩形描画を制御することにより描画領域である画面領域の区分けを行うことができる。
【００３５】
図３（Ａ）には、文字表示を制御するために具体的に使用されるデータ内容が示されている。このデータには、表示内容長、Ｘ軸の表示開始位置、Ｙ軸の表示開始位置文字、行の文字数、サイズ、太文字、点滅表示、文字色、背景色、表示内容等が規定される。こうして規定された描画エリアの表示例が図３（Ｂ）に示されている。
【００３６】
図４（Ａ）には、罫線描画に使われるデータ内容が示されており、線色、Ｘ軸の表示開始位置（ｘＢｅｇｉｎ）、Ｘ軸の表示終了位置（ｘＥｎｄ）、Ｙ軸の表示開始位置（ｙＢｅｇｉｎ）、Ｙ軸の表示終了位置（ｙＥｎｄ）が規定されている。こうして規定された描画エリアの表示例が図４（Ｂ）に示されている。
【００３７】
図５（Ａ）には、矩形描画に使われるデータ内容が示されており、矩形の塗り色、Ｘ軸の表示開始位置（ｘＢｅｇｉｎ）、Ｘ軸の表示終了位置（ｘＥｎｄ）、Ｙ軸の表示開始位置（ｙＢｅｇｉｎ）、Ｙ軸の表示終了位置（ｙＥｎｄ）が規定されている。開始点と終了点が同じ位置の場合、点を描画する。こうして規定された描画エリアの表示例が図５（Ｂ）に示されている。
【００３８】
以上は、携帯情報端末のディスプレイへの表示を親機１から送出される出力態様制御信号により制御しているが、出力態様として音やＬＥＤの出力態様、例えば、着信音パターン、着信ＬＥＤパターン、着信音バイブレータ等を変化させるように制御することもできる。
【００３９】
着信音パターンは、着信時の着信音パターンを制御するために用いられ、この場合、端末側の着信音パターンは無視され、着信音音量は端末側の設定に依存し、端末の着信音量がサイレントまたはマナーに設定されている場合には端末は鳴動しないようにすることもできる。
【００４０】
着信ＬＥＤパターンは、着信時の着信ＬＥＤパターンを制御するために使用され、この場合、端末側の着信ＬＥＤパターン設定は無視される。
【００４１】
着信音バイブレータパターンは、着信時の着信バイブパターンを制御するために使用され、この場合、端末側の着信バイブパターン設置は無視される。着信時のバイブ動作は端末側の設定に依存する。したがって、端末の着信バイブレータ設定がＯＦＦの場合には端末はバイブ動作しない。また、着信音量がサイレントに設定されている場合も端末はバイブ動作しない。
【００４２】
以上のようなフォーマットをもつ親機１から送出される出力態様制御信号（メッセージ）は、「呼設定」のＵｓｅｒ−Ｕｓｅｒ情報要素に含まれ、着呼側端末としての携帯情報端末は、「呼設定」のＵｓｅｒ−Ｕｓｅｒ情報要素から上記メッセージを抽出、解析して着信情報として表示、出力する。
【００４３】
ところで、ナースコール端末としての携帯情報端末にナースコールがかかった場合、発信者の番号はナースコール親機１の内線番号となり、そのナースコールをかけた患者について発信者番号ではなく、別の情報を通知することは有意義である。本実施形態では、このような場合に、再接続先を指定するために再接続先設定情報が使用される。この再接続先設定情報は、携帯情報端末に保存され、または自動的に当該再接続先設定情報に基づいて必要なコンテンツが得られ、ディスプレイに表示される。このコンテンツとしては、サーバ４から取り出された患者の病歴や年齢、性別等がある。
【００４４】
以上、本発明の携帯情報端末の出力態様制御方式及びそれを用いたナースコールシステムの好適実施形態例を説明したが、これは単なる例示にすぎず、特定用途に応じて種々の変形変更が可能であることは勿論である。
【００４５】
【発明の効果】
上述の如く、本発明の携帯情報端末の出力態様制御方式及びそれを用いたナースコールシステムによれば、発信側からの制御により着信側の携帯情報端末のディスプレイに表示される情報や着信音等の出力態様を制御可能であるため、発信側の要望に応じた着信側の表示や出力音等の出力態様が任意に可変制御でき、利便性が格段に向上する。また、ナースコールシステムに適用した場合には、ナースコールが生じたときに、親機側の制御信号によりナースの所持する携帯情報端末のディスプレイに表示される有益な情報（部屋番号やベッド番号及び患者の名前情報、担当医師情報、又は当該患者を医療看護する担当者のグループ情報等）を任意に設定でき、また、着信音パターン、着信ＬＥＤパターン又は着信音バイブレータパターンも任意に変更でき、効率的な運用が可能となる。
【図面の簡単な説明】
【図１】本発明の一実施形態における適用例としてのナースコールシステムのシステム構成図である。
【図２】本発明の実施形態による携帯情報端末のディスプレイ表示画面を複数の画面領域が分けられ、その表示態様が制御された各画面領域の表示例を示す図である。
【図３】本発明の実施形態における文字表示を制御するために具体的に使用されるデータ形式を示す図である。
【図４】本発明の実施形態における罫線描画に使われるデータ形式を示す図である。
【図５】本発明の実施形態における矩形描画に使われるデータ形式を示す図である。
【符号の説明】
１    ナースコール親機
２    中央集中管理装置
３    交換機
４    サーバ
５Ａ、５Ｂ    ＣＳ
ＰＳ１〜ＰＳＭ  携帯情報端末
Ｂ１〜ＢＮ    呼出ボタン
【図１】
2005020348.tif 000003
【図２】
2005020348.tif 000004
【図３】
2005020348.tif 000005
【図４】
2005020348.tif 000006
【図５】
2005020348.tif 000007